(57)【要約】  保険目的の遺言書、検認、税金、及び又は他の必要性のための個人財産目録を作成することを支援する、コンピュータ、スマートフォン、及び装置と共に動作する目録技術。目録は、保険損失が生じる前に写真、ビデオ、ユーザ入力、及び販売人供給受領書を用いることによって準備され得る。ユーザは、ギフト店記録を、損失後の交換個人財産を更新及び又は注文するための技術と関連付け得る。災害発生、火災、盗難等の後にリストを有していないユーザのために、この技術は、ユーザが個人財産目録を再構築することを補助するための「事後ツール」を有する。メモリアシストモジュールは、典型的な住宅所有者及び知識ベースデータに基づく且つルーム毎に示される提案を提供する。プロフェッショナルモデルは、非推奨テーブルと共に事前及び事後ツールの両方を１つに組み合わせ、ユーザと請求プロセッサとの間での通信及び文書化のやり取りを可能にする。
2018530816.tif 000002
【特許請求の範囲】
【請求項１】
財産損失前又は財産損失後のいずれかにマスター目録リストを作成するために用いられる「事前ツール」サブシステム及び「事後ツール」サブシステムを提供するコンピュータ実装システムであって、
ａ）プロセッサ、不揮発性メモリ、機械読取り可能命令を含む機械読取り可能媒体を含むサーバシステムであって、
ｂ）データベースシステムであって、複数のデータベースを含み、前記複数のデータベースは、ギフト記録のデータベース、販売人供給受領書のデータベース、及びマスター目録リストのデータベースを含む、データベースシステム
と通信するサーバシステムを含み、
ｃ）前記システムサーバは、１つ以上の保険業者、１人以上の被保険者、及び１つ以上の製品交換販売人と更に通信し、
ｄ）前記システムサーバは、表示インターフェースシステムと通信し、前記表示インターフェースシステムは、被保険者登録ログインインターフェース、保険担当者ログインインターフェース、ロケーションを作成するインターフェース、ロケーションをアクティブ化するインターフェース、メモリアシストインターフェース、製品のカテゴリを追加するインターフェース、及びメモリアシストを用いて目録を追加するインターフェースである、コンピュータ実装システム。
【請求項２】
保険担当者が被保険者の目録を閲覧し、且つ適正市場価格に関する査定又は他のパラメータ下での査定を行うことを可能にするユーザインターフェースと通信するサーバシステムを更に含む、請求項１に記載のシステム。
【請求項３】
前記システムサーバと通信し、且つ複数の販売人と通信する製品交換販売人のデータベースを更に含む、請求項１に記載のシステム。
【請求項４】
メモリアシストモジュールを更に含む、請求項１に記載のシステム。
【請求項５】
デジタル写真及びデジタルビデオの入力から製品属性を導き出すように構成される対象物認識システムを更に含む、請求項１に記載のシステム。
【請求項６】
製品ライフスタイル関連のデータベースを更に含み、前記システムサーバは、被保険者のマスター製品リストを前記ライフスタイル関連データベースの製品リストと比較して、被保険者の請求されたマスター財産リストにおける統計的異常を導き出す、請求項１に記載のシステム。
【請求項７】
前記システムサーバと通信する仮想３Ｄ製品ルームのデータベースを更に含み、前記仮想３Ｄ製品ルームのデータベースは、被保険者のルームの表現内部に製品の表示を提示する、請求項１に記載のシステム。
【請求項８】
前記ギフト記録のデータベースは、被保険者のギフトリストを提供する複数の販売人と更に通信する、請求項１に記載のシステム。
【請求項９】
前記マスター目録リストのデータベースは、被保険者のための目録のマスターリストを含み、及び前記目録のマスターリストは、前記「事前ツール」サブシステム又は前記「事後ツール」サブシステムのいずれかによって登録される、請求項１に記載のシステム。
【発明の詳細な説明】
【技術分野】
【０００１】
関連出願の相互参照
本出願は、２０１５年９月１１日出願の米国特許出願第１４／８５４，４１６号の利益及び優先権を主張する。
【０００２】
著作権及び商標表示
本出願は、著作権及び／又は商標保護の対象であるか、又は対象となる可能性がある材料を含む。著作権及び商標所有者は、それが特許商標庁の包袋又は記録に掲載されているため、いずれかによる本特許開示の複写複製に対して異議はないが、他の場合にはいかなるものであれ全ての著作権及び商標権を保有する。かかる商標は、Digi Inventory（商標）、Digi Disaster Inventory（商標）、DigiInventory（商標）、SecureMyValuables（商標）、SecureMyValuablesNow（商標）、Digi-In（商標）、及びPut in My Vault（商標）を含み得る。
【０００３】
発明の背景
（１）技術分野
本発明は、概して、目録リスト作成システムに関する。より詳細には、本発明は、プロンプト及びデータベースを用いて目録リストを作成する手段及び方法に関し、かかる目録リストは、保険金請求に用いるために任意選択的に修正及び増補される。
【背景技術】
【０００４】
（２）関連技術の説明
公知の関連技術は、本発明の原理を予見又は開示していない。
【０００５】
関連技術において、Excelスプレッドシート及び他のコンピュータ実装システムは、目録リストを作成することを支援するために用いられ得る。資産を１枚の紙に書き出す先行技術の方法を含むかかる方法は、全資産属性の手入力を含む全資産の手入力の必要を満たさない。従って、住宅所有者又は他の保険契約者が各家財道具の関連属性の全てを知らない可能性があるため、目録リスト作成は厄介な作業であり、延引されがちである。従って、関連技術において深刻な不足が存在する。
【発明の概要】
【課題を解決するための手段】
【０００６】
発明の簡単な概要
開示する実施形態は、１）災害前に事前対策ベースで、及び２）盗難又は火災後の被災後ベースで個人所有物のリストを生成することにおいて消費者を支援する。いずれの実装にも外部データベースの使用においてクロスオーバーが存在する一方、一方のサブシステムは「事前ツール」と見なされ得、及び第２のサブシステムは「事後ツール」と見なされ得る。「事前ツール」又は損失前システムは、Digi Inventory（商標）又はＤＩとして公知であるか又は称され得る一方、損失後ツール又は「事後ツール」は、Digi Disaster Inventory（商標）又はＤＤＩとして公知であり得る。
【０００７】
本発明は、住宅所有者又はアパート居住者が、その個人所有物の全てを迅速に且つ注意深く記録し、その目録を作成することを支援する機械実装システムを提供する方法及びコンポーネントの非自明且つ独特な組み合わせ及び構成を提示することにより、関連技術における不足を克服する。開示する実施形態は、メモリアシスト機能であって、ユーザインターフェースがサーバシステムと通信し、及びサーバシステムが複数のデータベースと通信し得る、メモリアシスト機能を含み得る。複数のデータベースは、各品目の任意選択的な属性が容易に利用可能である消費者品目のカタログを含み得る。サーバシステムは、価格検証［又は価格チェック］のために及び提示されるドロップダウン品目メニューの内容及び質を更に拡張するために、婚礼記録等のオンラインリソースと通信可能であり得る。例えば、品目が婚礼又はギフト記録を介して購入されるにつれて、かかる品目が消費者のデータベースシステムに追加される。
【０００８】
開示する実施形態は、私物品の目録の作成において効果的なポイント及びクリック体験を提供するためのドロップダウンメニュー及びサブメニューを含むユーザインターフェースを提示することにより、関連技術における不足を克服する。私物品の登録されたデータベースの巧みな使用及び外部記録との接続性により、ほぼいかなる私物品も住宅所有者の資産のリストへの選択及び取込に利用可能である。サブメニューは、極めて正確な製品リスト化及び価格付けを提供するようために製品モデル及びオプション製品機能をリスト化し得る。
【０００９】
開示する実施形態は、消費者が所有する品目の入力に基づく可能性のある付随品目の表示により、当技術分野における不足を克服する。例えば、消費者は、テレビシステムを入力し得、及びＤＶＤプレーヤー等の互換性がある補助品が選択のために表示され得る。
【００１０】
開示する実施形態は、異常の疑いがある製品に対する所有権を主張することにおける消費者詐欺の可能性を確かめるために、ライフスタイルデータベースを相互参照することにより、当技術分野における不足を克服する。
【００１１】
取込のために選択された製品は、適正市場価格等の目に見えない製品属性を有し得る。取込のために選択された製品は、関連品目又は多くの場合に対象品目と共に購入される品目のプロンプトも含み得るか又はトリガし得る。従って、住宅所有者は、所有する財産の徹底した公平なリスト化を得る。かかる徹底したリスト化は、結果として、購入した保険の補償範囲の増大及びより満足する消費者体験を生じる可能性がある。保険業者にとって、かかるリストは、結果としてより迅速且つより正確な請求解決をもたらす。
【００１２】
本発明の実施形態は、リストに掲載された品目及びその以前の状態における品目の所有及び状態を更に確認するための動画及び写真アップロードの手段及び方法を含み得る。受領書もアップロードされ得る。
【００１３】
開示する実施形態は、メモリアシストを有するデラックス版、並びに／又は開示するデータベース及び接続システムがない通常版を含み得る。製品リスト作成並びに製品リストの査定及び編成において、多数のサブカテゴリと共にカテゴリの使用が用いられ得る。
【００１４】
開示する実施形態は、被保険者登録ポータル及び並列保険請求査定人ログインを含み得る。保険請求査定人ログインは、通常、一緒に見出されない品目又は被保険者の既知の属性と一致しない品目等の不定の目録リストのパターンを出現させるか又は表示し得る。
【００１５】
開示する実施形態は、消費者がデジタル受領書を個人電子システムに直接送信することを可能にする「Put in my Vault」技術を含む。参加販売人との購入を完了すると、受領書及び他の取引情報がセキュアストレージシステムに送信される。セキュアストレージシステムは、損失が発生した場合に購入品情報の迅速な再試行を容易にするために他の開示するコンポーネントと通信し得る。
【００１６】
開示する実施形態は、対象物認識技術の実装を含み、製品情報は、消費者物品のデジタル写真及び動画を用いることによって導き出される。製品バーコードも目録を消費者のデータベースに追加するために走査され得る。
【００１７】
開示する実施形態は、個人財産の消費者の入力及び後続の財産リストの生成を容易にするために三次元ルームビューの実装を含む。
【００１８】
開示する実施形態は、当技術分野において新しい効率を提供し、且つ選択された販売人が物品及びサービスを損失後に消費者に提示できるため、システムオペレータに収益化機会を提供する。選択された販売人は、遺失物に適合する品目を提示し得、値引き及び／又は手数料支払いをシステムオペレータに提供し得る。選択された販売人は、非回収物［完全に破壊されたもの］から回収［救出］される得るものを特定するなどの有益な入力及びサービスを提供し、必要に応じて回収物に対する修理及び修復を行うことを提供し得る。
【００１９】
事前ツールサブシステム又は実施形態において、消費者は、所有する品目の広範なリストを組み立て得る。盗難又は火災若しくは他の部分的な損失後、消費者は、その完全な又はマスター目録リストから時間を選択し、損失の結果を反映するように財産を関連カテゴリに選択及び編成し得る。これは、損害を軽減し且つ財産要件の保全に適合させるために、被保険者エンドユーザが、損害を受けていない品目から損害を受けた品目を特定及び分離することを可能にする。
【００２０】
開示する実施形態は、開示するシステム及びサブシステムを収益化する様々な手段及び方法を含む。「事前ツール」及び「事後ツール」の両方は手数料方式で保険業者に提供され得る。かかる編成は、保険業者に無償又は定価で開示するシステムをその保険契約者に提供することを可能にする一方、奨励金［値引き又はその他］をその保険契約者に提供して、保険契約者にその個人財産の目録を完成させることを奨励することを可能にする。保険業者は、請求プロセスの良好な制御、請求の処理における少ない支出、及び最も重要なことにより多くの保険を販売する能力を含む多くの利点を享受する。保険契約者がその請求に対して公正な補償を受け取ることを知るため、保険業者は顧客囲い込みを維持し、増加させることによって利益を得る。
【００２１】
開示する実施形態は、保険会社が、保険会社内の階層システムによって管理されるその保険代理店を介して、個人財産に関するその保険契約者のニーズを十分に理解及び把握することを可能にする。開示するシステム技術は、不十分な保険等の補償範囲の弱点、並びに／又は貴重品及び収集価値のあるもののための特定の保険を保護する必要性を明らかにし得る。特定の住宅所有者及び借家人方針は、強盗又は盗難に関連する請求から美術品、宝石、毛皮、銃器、及び家宝の銀食器のような非常に高価な品目に対する補償を排除するか、又は劇的に制限するのいずれかである。同じことが、保険業者が追加保護を意欲的に提供する自営業の設備保険及び個人情報の盗難保険にも言える。
【００２２】
開示する実施形態は、開示するデータベースシステムが保険代理店と被保険者との間の通信のやり取りを可能にし、請求フォーム、書簡、及び他の品目等の添付書類の送信も可能にするため、代理店がその権限内で小型及び面倒な請求を清算することを可能にする。
【００２３】
保険会社のために、「事後ツール」は幾つかの独特な特徴を有する。１つは、被保険請求者がその目録の編成を開始できるように、査定人が、査定人によって提供される資格情報を用いて開示するサーバシステムにログオンするように被保険請求者を支援することを可能にする。メモリアシスト機能は、被保険請求者に手引きを提供する一方、監視ツールを保険業者に提供する。この技術は、請求を開始することに関する特徴を有し、ここで、システムは、請求者が［更には他の保険会社との］注文を有し得る可能性のあるオープンな又は重複した請求を検索して［詐欺防止］、豪雨、ハリケーン、洪水、又は地震による損害等の壊滅的な広範にわたる損失中に極めて有用である過払い、二重払いを回避する。
【００２４】
開示する実施形態は、非推奨テーブル等の追加ツール及び被保険者によって行われる全ての行動を「見る」能力を査定人に提供する。加えて、査定人と被保険請求者との間の通信は、交互にやり取りされる請求フォーム、ファイル、書簡、添付書類、様々なメッセージによる双方向である。これは、貴重なリソースの相当な節約又は再配分を可能にする。
【００２５】
開示する実施形態は、保険請求、遺言書、検認、税金、商業的請求、及び他の必要性のための個人財産品のリスト又はデータベースを作成する手段及び方法を含む。個人財産の目録、データベース、又はリストは、保険損失前に写真、ビデオ、ユーザ入力、及び販売人供給受領書を用いることによって準備され得る。損失後、ユーザは、販売人記録を、損失後に交換品を更新及び／又は注文するための開示するシステムと関連付け得る。
【００２６】
開示するメモリアシストモジュールは、資産リスト作成を支援するために、典型的な住宅所有者及び知識ベースデータ並びにシステムが生成した図に基づいて提案を提供し得る。開示するプロフェッショナルモデルは、事前及び事後ツールの両方を１つのシステムに組み合わせ、且つ非推奨テーブル及びユーザと請求プロセッサとの間で通信及び文書をやり取りするためのシステムサーバを含み得る。
【００２７】
これら及び他の目的及び利点は、図面と共に理解される場合、以下の詳細な明細書を考慮する場合に明らかとなるであろう。
【図面の簡単な説明】
【００２８】
【図１】考察するプロセスの概略図を示す。
【図２】考察するハードウェアアーキテクチャの概略図を示す。
【図３】考察するハードウェアアーキテクチャの概略図を示す。
【発明を実施するための形態】
【００２９】
図面中の参照符号
１００  被保険者登録ログイン又はログオン
１２０  保険査定人ログイン又はログオン
２００  被保険者のための初期インターフェース
２２０  保持する品目のロケーションを作成するためのインターフェース
２４０  保持する品目のロケーションをアクティブ化するためのインターフェース
２６０  請求を受け入れるためのインターフェース及び手段、保険会社が開示するシステムを設定し、且つ被保険者及び請求担当者の両方並びに第三者販売人のためにシステム機能をイネーブル化し得る
３００  デラックス版又は通常版のいずれかの選択のための決定木
３１０  個人財産の所有に関する動画、画像、及び他のアーティファクトのアップロードを可能にするインターフェース及びシステム
３２０  デラックス版インターフェース
３４０  通常版インターフェース
４００  製品カテゴリを追加又は選択するためのインターフェース及びシステム
５００  メモリアシストエンジン、モジュール、又はシステムを介して製品を追加するためのインターフェース及びシステム
５２０  ＤＤＩ製品が保険会社によって被保険者に寄与された上記の２６０から区別されるように、被保険者がＤＤＩ製品の購入及び作業後に請求を申請し得る第２のオプション
６００  ユーザ入力のみを介して製品を追加するためのインターフェース及びシステム
６２０  被保険者が既にＤＩ又はＤＤＩ製品を購入しており、その目録を記録している請求が申請される
６５０  ２６０又は６２０のいずれかにおいて請求が申請された場合、保険会社が、第三者販売人に損失及び可能性のある修理を調査させる。第三者販売人は技術に対するアクセスを有し、被保険者と請求プロセッサとの間の通信モジュールの関係者になる。
７００  品目の目録を送信及び印刷するシステム及びインターフェース
８００  保険査定人が被保険者の目録を閲覧し、且つ適正市場価格に関する査定又は他のパラメータ下での査定を行うことを可能にするシステム及びインターフェース
８１０  ＡＬＥツール「追加生活費（Additional Living Expenses）」が、その損失に起因して被保険者が被る全ての追加生活費を査定、計算及び文書化するために用いられる
８２０  請求プロセッサが、カバーレター、要約報告を有する請求詳細、全ての関連書簡、文書、及び原価償却に応じて調整された最終的分離（軽減）目録損失等を含む完全な請求提出文書を集約及び作成する、請求パッケージ
８４０  保険会社への請求パッケージ提出
８６０  ユーザ顧客が、請求前にその目録を構築している間に市場価格を検索でき、及び決着済の請求顧客が損失品を購入及び交換するために入ることができるギフト記録
９００  「事前ツール」サブシステム
１０００  「事後ツール」サブシステム
１１００  データベースシステム
１１１０  婚礼又はギフト記録のデータベース
１１２０  販売人供給受領書のデータベース
１１３０  付随製品のデータベース
１１４０  販売人のデータベース
１１５０  Put in My Vaultデータベース
１１５５  マスター目録リストのデータベース
１１６０  仮想３Ｄ製品ルームのデータベース
１１６５  ライフスタイル関連に対する製品のデータベース
１２００  システムサーバ
１３００  消費者又は被保険者
１４００  保険業者
１５００  製品交換販売人
１６００  メモリアシストモジュール
１７００  対象物認識システム
【００３０】
発明の実施形態の詳細な説明
以下の詳細な説明は、本発明の特定の実施形態に向けられる。しかし、本発明は、特許請求の範囲及びその均等物によって定義及び包含されるような多くの異なる方法で具現化することができる。この説明において、図面に対して参照を行い、ここで、同様の部分は全体を通して同様の数字で示されている。
【００３１】
本明細書又は特許請求の範囲において特に指定のない限り、本明細書及び特許請求の範囲で用いる用語の全ては、当業者によってこれらの用語に対して通常見なされる意味を有する。
【００３２】
特に文脈が明確に必要としない限り、説明及び特許請求の範囲全体を通して、用語「含む」、「含んでいる」等は、排他的又は網羅的な意味とは対照的な包括的な意味、すなわち、「含むが、限定されない」という意味で解釈されるものとする。単数又は複数を用いる用語は、それぞれ複数又は単数も含む。加えて、用語「本明細書において」、「上記」、「下記」、及び同様を意味する用語は、本出願において用いる場合、全体として本出願を意味するものとし、本出願の任意の特定の部分を意味しない。
【００３３】
本発明の実施形態の上記の詳細な説明は、網羅するか又は上で開示する正確な形態に本発明を限定する意図はない。本発明の特定の実施形態及びそのための実施例を例示する目的のために上で説明したが、当業者が認識するように様々な均等な修正形態が本発明の範囲内で可能である。例えば、ステップは特定の順序で提示されるが、代替の実施形態は、異なる順序でステップを有するルーチンを実行し得る。本明細書で提供する本発明の教示は、本明細書で説明するシステムだけでなく、他のシステムにも適用できる。本明細書で説明する様々な実施形態は、更なる実施形態を提供するために組み合わされ得る。詳細な説明を踏まえて、実施形態に対するこれら及び他の変更形態がなされ得る。
【００３４】
任意及び全ての上記参考文献及び米国特許並びに出願は、参照により本明細書に組み込まれる。本発明の態様は、必要に応じて、本発明の更なる実施形態を提供するために、上で説明した種々の特許及び出願のシステム、機能、及び概念を採用するように変更され得る。
【００３５】
図１は、被保険者又は消費者が初期インターフェース２００にアクセスすることを可能にする被保険者登録１００ログイン又はログオンを含み得る開示構成である。システムは、リストに掲載された目録、適正市場価格、及び不一致フラグのバックエンドビューを査定人に与える査定人ログイン１２０又はログオンも含み得る。不一致フラグは、消費者が、その他の品目のプロファイルに適合しないか、又は消費者の状況全体を踏まえて異常として際立つ所有品目に対して請求する場合にトリガされ得る。査定人又は他の保険会社担当者は、リストに掲載された品目の適正市場価格を導き出すことを支援する適正市場価格エンジン又はデータベースシステムへのアクセスを有し得る。
【００３６】
消費者は、インターフェースに関与してリスト時間を収容又は格納するロケーションを作成し得る２２０。ロケーションはアクティブ化され得２４０、従って様々なパラメータをトリガしてリスト作成を完了させ、不一致フラグをトリガすることを支援し得る。ロケーションがアクティブ化された後、消費者は、メモリアシストシステムを有するデラックス版又はペン及び紙のような通常版３４０のいずれかの選択を提供する決定木３００を提示され得る。開示する本発明の所有者又は運営者は、デラックス版の使用に対して保険料支払を得ることができる。
【００３７】
デラックス版又は通常版のいずれかにおいて、消費者は、カテゴリを追加して４００、消費者によって所有される品目に適合させ得る。デラックス版において、消費者は、メモリアシストシステム又はエンジンを用いて目録を追加し得る５００。メモリアシストシステムは、消費者製品及びそれらのそれぞれの属性を予め登録した複数の目録データベースを含み得る。かかる製品属性は、標準購入価格、非推奨テーブル、及び前後して購入された標準品目を含み得る。メモリアシストシステムは、一般的な婚礼若しくはギフト記録、又は特定の消費者によって用いられる婚礼若しくはギフト記録へのリアルタイムアクセスを有し得る。メモリアシストシステムは、消費者の所有する製品の追加を支援する複数のドロップダウンメニュー及びサブメニューを含み得る。
【００３８】
通常版３４０の実施形態において、消費者はその私物品のリストをタイプ入力し得る。
【００３９】
いずれかの版において、消費者はその目録リストを印刷及び／又は送信し得る７００。リストは、格納及び／又は評価のために保険査定人又は他方当事者に送信され得る。
【００４０】
更に、ステップ２６０において、請求が申請され得、保険業者はＤＤＩ製品を設定し得、ログイン及び共有システムは被保険者に属している。
【００４１】
ステップ５２０において、第２のオプションが提示され、ここで、被保険者は、ＤＤＩ製品が保険会社によって被保険者に寄与された上記の２６０から区別されるように、ＤＤＩ製品の購入及び作業後に請求を申請し得る。
【００４２】
ステップ６２０において、請求が申請され得、ここで、被保険者は既にＤＩ又はＤＤＩ製品を購入しており、その目録を記録している。
【００４３】
６４０は、保険請求プロセッサと被保険者との間の直接通信、データ及び文書のやり取りのための通信及び文書交換モジュールである。
【００４４】
６５０は、第三者販売人であり得、２６０又は６２０のいずれかにおいて、保険会社は、第三者販売人に損失及び可能性のある修理を調査させ、回収不能物から回収可能なもの並びに修理可能、修復可能又は交換が必要なものを判断することを補助するステップを含み得る。第三者販売人は技術に対するアクセスを有し、被保険者と請求プロセッサとの間の通信モジュールの関係者になる。
【００４５】
８１０は、ＡＬＥツール「追加生活費」が、その損失に起因して被保険者が被る全ての追加生活費を査定、計算及び文書化するために用いられるステップ又はプロセスである。
【００４６】
８２０は、請求プロセッサが、カバーレター、要約報告を有する請求詳細、権利非放棄、損失を証明する宣誓供述書、全ての関連書簡、文書、及び原価償却に応じて調整された最終的分離（軽減）目録損失等を含む完全な請求提出文書を集約及び作成するステップ又はプロセスである。
【００４７】
８４０は、請求パッケージ又は請求要素が保険会社に提出又は送信されるステップ又はプロセスである。
【００４８】
８６０は、システムユーザ又は顧客が、請求前にその目録を構築している間にギフト記録にアクセスして市場価格を検索し得、及び決着済の請求顧客が損失品を購入及び交換するために入ることができるステップ又はプロセスである。
【００４９】
図２は、システムサーバ１２００が「事前ツール」サブシステム９００及び「事後ツール」サブシステム１０００と通信する、開示するハードウェアアーキテクチャを示す。サーバ１２００は、婚礼又はギフト記録のデータベース１１１０、販売人供給受領書のデータベース１１２０、付随製品のデータベース１１３０、及び販売人のデータベース１１４０等の複数の統合又は分離型データベースを含み得るデータベースシステム１１００と更に通信する。
【００５０】
サーバ１２００は、消費者又は被保険者１３００、保険業者１４００、及び製品交換販売人１５００とも通信する。
【００５１】
「事後ツール」サブシステム１０００は、データベースシステム１１００及び関連するデータベースにアクセスして、マスター事象後目録リストを作成することを支援するための様々なドロップダウンリストを作成し得る。データベースは、ユーザ選択品目により、購入された可能性のある付随品目を製作するメモリアシストモジュール１６００を作成することに役立ち得る。「事後ツール」サブシステム１０００は、損失前の購入をチェックするために、損失後にギフト記録１１１０及び類似データベースにアクセスすることもできる。
【００５２】
「事前ツール」サブシステム９００は、購入が販売人、ギフト記録、及び消費者によって報告される際に消費者のマスター目録リストを絶えず更新し得る。「事前ツール」サブシステムは、受領書が容易に格納され、消費者詐欺の可能性が減少するようにマスター目録リストを作成する好ましい方法である。
【００５３】
損失が発生した場合、提携製品交換販売人１５００が交換製品を被保険者に提供し得る。システムオペレータによる手配は、被保険者に対する和解として保険業者から製品交換販売人１５００への直接支払を容易にし得る。
【００５４】
被保険者１４００は、マスター目録リストを更新し、損失を報告し、保険業者１４００と直接通信するためにシステムサーバ１２００への制限アクセスを与えられ得る。
【００５５】
サーバシステム１２００は、汎用又は特殊プロセッサ、不揮発性メモリ、機械読取り可能命令を含む機械読取り可能媒体、及びインターネット等のネットワークへのアクセスを含み得る。サーバシステム１２００はシステムのオペレータによって制御、保守及び収益化され得る。
【００５６】
図３は、図２のシステムを示すが、Put in My Vault（商標）データベース１１５０、マスター目録リストのデータベース１１５５、仮想３Ｄ製品ルームのデータベース１１６０、及びライフスタイル関連に対する製品のデータベース１１６５を含む。Put in My Vault（商標）データベースは、販売人及び被保険者からの受領書を受け入れ得る。保険業者は、マスター製品リストの内容又は金庫室（vault）の中身を監視して保険不足を探し、保険更新を提案し得る。
【００５７】
図３は、対象物認識エンジン１７００又は消費者が提供した写真若しくはビデオから製品属性を導き出すシステムを更に示す。対象物認識システムは、被保険者の製品をシステムデータベース又は製品のリストにマップ化して、被保険者のマスター財産リストに登録する。
【００５８】
仮想３Ｄ製品ルームのデータベース１１６０は、被保険者によって選択された内容によりルームの視覚化を提供する。被保険者のルームの写実的表現を見ることは、被保険者が、損失前に所有していた製品を思い出すことを補助する。ライフスタイル関連のデータベース１１６５は、被保険者によって請求された財産が被保険者によって所有された他の財産と統計的に一致しない場合に警告をトリガする。ライフスタイル関連のデータベースは、典型的な分類又は製品の関連を最新にするために、消費者から収集した目録分類を絶えず登録し得る。
【００５９】
開示する実施形態は、以下の品目を含み得る。
【００６０】
品目１。財産損失前又は財産損失後のいずれかにマスター目録リストを作成するために用いられる「事前ツール」サブシステム及び「事後ツール」サブシステムを提供するコンピュータ実装システムであって、
ａ）プロセッサ、不揮発性メモリ、機械読取り可能命令を含む機械読取り可能媒体を含むサーバシステム１２００であって、
ｂ）データベースシステム１１１０であって、複数のデータベースを含み、複数のデータベースは、ギフト記録のデータベース１１１０、販売人供給受領書のデータベース１１２０、及びマスター目録リストのデータベース１１５５を含む、データベースシステム１１１０
と通信するサーバシステム１２００を含み、
ｃ）システムサーバは、１つ以上の保険業者１４００、１人以上の被保険者１３００、及び１つ以上の製品交換販売人１５００と更に通信し、
ｄ）システムサーバは、図１の表示インターフェースシステムと通信し、表示インターフェースシステムは、被保険者登録ログインインターフェース１００、保険担当者ログインインターフェース１２０、ロケーションを作成するインターフェース２２０、ロケーションをアクティブ化するインターフェース２４０、メモリアシストインターフェース３２０、製品のカテゴリを追加するインターフェース４００、及びメモリアシストを用いて目録を追加するインターフェース５００である、コンピュータ実装システム。
【００６１】
品目２。保険担当者が被保険者の目録を閲覧し、且つ適正市場価格に関する査定又は他のパラメータ下での査定を行うことを可能にするユーザインターフェース８００と通信するサーバシステムを更に含む、１のシステム。
【００６２】
品目３。システムサーバと通信し、且つ複数の販売人と通信する製品交換販売人１５００のデータベースを更に含む、１のシステム。
【００６３】
品目４。メモリアシストモジュール１６００を更に含む、１のシステム。
【００６４】
品目５。デジタル写真及びデジタルビデオの入力から製品属性を導き出すように構成される対象物認識システム１７００を更に含む、１のシステム。
【００６５】
品目６。製品ライフスタイル関連のデータベース１１６５を更に含み、システムサーバは、被保険者のマスター製品リストをライフスタイル関連データベースの製品リストと比較して、被保険者の請求されたマスター財産リストにおける統計的異常を導き出す、１のシステム。
【００６６】
品目７。システムサーバと通信する仮想３Ｄ製品ルームのデータベース１１６０を更に含み、仮想３Ｄ製品ルームのデータベースは、被保険者のルームの表現内部に製品の表示を提示する、１のシステム。
【００６７】
品目８。ギフト記録のデータベースは、被保険者のギフトリストを提供する複数の販売人と更に通信する、１のシステム。
【００６８】
品目９。マスター目録リストのデータベースは、被保険者のための目録のマスターリストを含み、及び目録のマスターリストは、「事前ツール」サブシステム又は「事後ツール」サブシステムのいずれかによって登録される、１のシステム。
【図１】
2018530816.tif 000003
【図２】
2018530816.tif 000004
【図３】
2018530816.tif 000005
【国際調査報告】
2018530816.tif 000006